(57)【要約】【課題】扉外面に開口したシリンダ筒挿通穴から針金を挿入しての不正解錠を防止する。【解決手段】プロテクターリング１２を扉外面側からシリンダ筒挿通穴に嵌合させると共に、このプロテクターリング１２に抜け止めを施し、一方、シリンダ筒２の外周部に、ライナー筒１３を嵌着し、このライナー筒１３の外周部に、薄肉環状のワッシャー様で、外径が化粧リングの開口端縁とほぼ同径の調整ライナー１５の少なくとも１枚と、外周部に環堤部１６を形成し、この環堤部内に調整ライナー１５を収容できるようにしたリングライナー１７とを嵌着する。【選択図】　図３
2004124681.tif 000002
【特許請求の範囲】
【請求項１】
シリンダ錠を内側に担持し、開口端縁外周部に雄ねじ部を形成したカップ状のシリンダ筒を、開口端を内側にして扉外面に開口したシリンダ筒挿通穴に挿通し、上記雄ねじ部を錠箱の側面部に設けられた雌ねじ部に螺合させることにより錠箱に固定すると共に、シリンダ筒の扉外面から突出した部分を扉面に近接する方向に付勢された台形の化粧リングで覆ったものにおいて、シリンダ筒を錠箱から取り外した状態で、フランジ付の薄肉短円筒体であり、シリンダ筒の開口端部を挿通させ得る内径を有するプロテクターリングを扉外面側からシリンダ筒挿通穴に嵌合させると共に、このプロテクターリングに抜け止めを施し、一方、シリンダ筒の外周部にライナー筒を嵌着し、このライナー筒の外周部に、薄肉環状のワッシャー様で、外径が化粧リングの開口端縁とほぼ同径の調整ライナーの少なくとも１枚と、外周部に環堤部を形成し、この環堤部内に調整ライナーを収容できるようにしたリングライナーとを嵌着し、シリンダ筒の開口端をプロテクターリングを通して錠箱に装着したとき、扉外面に当接するリングライナー及び調整ライナーにより、化粧リングの扉厚方向の遊動行程をほぼゼロにしたことを特徴とする扉のシリンダ筒挿通穴閉塞装置。
【請求項２】
シリンダ錠を内側に担持し、開口端縁外周部に雄ねじ部を形成したカップ状のシリンダ筒を、開口端を内側にして扉外面に開口したシリンダ筒挿通穴に挿通し、上記雄ねじ部を錠箱の側面部に設けられた雌ねじ部に螺合させることにより錠箱に固定すると共に、シリンダ筒の扉外面から突出した部分を扉面に近接する方向に付勢された台形の化粧リングで覆ったものにおいて、シリンダ筒を錠箱から取り外した状態で、フランジ付の薄肉短円筒体であり、シリンダ筒の開口端部を挿通させ得る内径を有するプロテクターリングを扉外面側からシリンダ筒挿通穴に嵌合させると共に、このプロテクターリングに抜け止めを施し、一方、シリンダ筒の外周部に、薄肉環状のワッシャー様で、外径が化粧リングの開口端縁とほぼ同径の調整ライナーの少なくとも１枚と、外周部に環堤部を形成し、この環堤部内に調整ライナーを収容できるようにしたリングライナーとを嵌着し、シリンダ筒の開口端をプロテクターリングを通して錠箱に装着したとき、扉外面に当接するリングライナー及び調整ライナーにより、化粧リングの扉厚方向の遊動行程をほぼゼロにしたことを特徴とする扉のシリンダ筒挿通穴閉塞装置。
【発明の詳細な説明】
【０００１】
【発明の属する技術分野】
この発明は、扉のシリンダ筒挿通穴閉塞装置（以下単に閉塞装置という）に係り、特に、簡単な構造で容易に扉の外面におけるシリンダ筒挿通穴を閉塞することができ、錠前の安全性を向上させることができる閉塞装置に関する。
【０００２】
【従来の技術】
シリンダ錠の扉への装着の態様は、例えば図１に示すように、シリンダ錠１を収納したカップ状のシリンダ筒２を、錠箱３の側板及び扉４を貫通させて扉面外に突出させ、その突出部分を例えば台形で扉面方向に付勢された化粧リング５で覆う構造である。
【０００３】
ちなみに、シリンダ筒２そのものは、その開口端縁外周部に形成された雄ねじ部６を、錠箱３の側面部に設けられた図示しない雌ねじ部に螺合させ、これも図示しないセットビスにより扉の自由側端縁側から固定する。
【０００４】
しかして、或る種の高級な扉においては、化粧リングの代りに、エスカチオン（化粧座板：図示せず）を装着する場合がある。
【０００５】
このエスカチオンは、通常、縦長の板材で、表面に彫刻等の装飾が施されており、室内側から取付ビスで扉外面に呼びつけられるようにして装着される。
【０００６】
【発明が解決しようとする課題】
ところが、錠箱３の寸法及びエスカチオンの取付ビスの位置は事実上一定に定まっており、図２に示すように、取付ビスの位置は生憎錠箱の上端を掠めるような位置にある。
【０００７】
そのため、図２に示すように、エスカチオンの取付ビスとの干渉を避けるため、錠箱３の天井板３ａにビス溝７を、錠箱の側板３ｂの上端にビス孔８を夫々形成しなければならないが、これらビス溝７及びビス孔８は化粧リングを用いる扉用の錠箱には必要無いものである。
【０００８】
なお、図２においてはビス孔８はＵ字形であるが、取付ビスの横断面形状に応じて半円形のビス孔もあるし、矩形のものもある。
【０００９】
しかしながら、同じ機構の錠箱でありながら取付ビス用のビス溝７及びビス孔８を形成したものとしないものとを別個に製造することは、コストの上昇の原因にもなるし、また、管理も困難になるので、化粧リングを装着する扉用の錠箱にもビス溝及びビス孔を形成している。
【００１０】
なお、これらビス溝７及びビス孔８は、図２に示すように、デッドボルト等の錠止部材を操作するデッドカム９の近傍に開口している。
【００１１】
一方、図１に示すように、扉４の外面にはシリンダ筒２を通すためのシリンダ筒挿通穴１１が開口しており、シリンダ錠装着時扉外面側からシリンダ筒を差込み、その開口端縁外周部に形成された雄ねじ部６を、錠箱３の側面部に設けられた図示しない雌ねじ部に螺合させ、これも図示しないセットビスにより扉の自由側端縁側から固定する。
【００１２】
そのため、化粧リングの可動部を持上げ、特殊な形状をした針金の先端部を、シリンダ筒挿通穴１１及び扉の外面と錠箱３との間を通して、上記ビス溝７から錠箱３内に挿入すると、これを引くことによりデッドボルトが引込むので、不正解錠が不可能ではなく、したがって錠前の防犯性が失われる、という不都合がある。
【００１３】
なお、この不正解錠の方法は、これを公表すると防犯上問題があるし、また、実用新案登録第３０８０８９９号に係る登録実用新案公報に記載されているので、ここではその記載を省略する。
【００１４】
この発明は、上記した扉外面に開口したシリンダ筒挿通穴１１を閉塞する簡単な構造の閉塞装置を提供することを目的としている。
【００１５】
【課題を解決するための手段】
上記の目的を達成するため、請求項１に記載の発明は、シリンダ錠を内側に担持し、開口端縁外周部に雄ねじ部を形成したカップ状のシリンダ筒を、開口端を内側にして扉外面に開口したシリンダ筒挿通穴に挿通し、上記雄ねじ部を錠箱の側面部に設けられた雌ねじ部に螺合させることにより錠箱に固定すると共に、シリンダ筒の扉外面から突出した部分を扉面に近接する方向に付勢された台形の化粧リングで覆ったものにおいて、シリンダ筒を錠箱から取り外した状態で、フランジ付の薄肉短円筒体であり、シリンダ筒の開口端部を挿通させ得る内径を有するプロテクターリングを扉外面側からシリンダ筒挿通穴に嵌合させると共に、このプロテクターリングに抜け止めを施し、一方、シリンダ筒の外周部にライナー筒を嵌着し、このライナー筒の外周部に、薄肉環状のワッシャー様で、外径が化粧リングの開口端縁とほぼ同径の調整ライナーの少なくとも１枚と、外周部に環堤部を形成し、この環堤部内に調整ライナーを収容できるようにしたリングライナーとを嵌着し、シリンダ筒の開口端をプロテクターリングを通して錠箱に装着したとき、扉外面に当接するリングライナー及び調整ライナーにより、化粧リングの扉厚方向の遊動行程をほぼゼロにしたことを特徴とする。
【００１６】
また、請求項２に記載の発明は、シリンダ錠を内側に担持し、開口端縁外周部に雄ねじ部を形成したカップ状のシリンダ筒を、開口端を内側にして扉外面に開口したシリンダ筒挿通穴に挿通し、上記雄ねじ部を錠箱の側面部に設けられた雌ねじ部に螺合させることにより錠箱に固定すると共に、シリンダ筒の扉外面から突出した部分を扉面に近接する方向に付勢された台形の化粧リングで覆ったものにおいて、シリンダ筒を錠箱から取り外した状態で、フランジ付の薄肉短円筒体であり、シリンダ筒の開口端部を挿通させ得る内径を有するプロテクターリングを扉外面側からシリンダ筒挿通穴に嵌合させると共に、このプロテクターリングに抜け止めを施し、一方、シリンダ筒の外周部に、薄肉環状のワッシャー様で、外径が化粧リングの開口端縁とほぼ同径の調整ライナーの少なくとも１枚と、外周部に環堤部を形成し、この環堤部内に調整ライナーを収容できるようにしたリングライナーとを嵌着し、シリンダ筒の開口端をプロテクターリングを通して錠箱に装着したとき、扉外面に当接するリングライナー及び調整ライナーにより、化粧リングの扉厚方向の遊動行程をほぼゼロにしたことを特徴とする。
【００１７】
【実施例】
以下、この発明の一実施例を図３乃至図５を参照して説明する。
図３及び図４において符号１２はプロテクターリングを示し、このプロテクターリング１２は、一端にフランジを形成した薄肉円筒体で、後述のライナー筒を嵌着したシリンダ筒の開口端部を挿通させ得る内径を有している。
【００１８】
このプロテクターリング１２は、フランジが形成されていない開端部を内方にして、扉外面側からシリンダ筒挿通穴１１（図１参照）に嵌合している。
【００１９】
なお、プロテクターリング１２の中心軸線方向の長さ（図３で左右方向の長さ）は、その内端開口が錠箱３の外側面との間に僅かの隙間を保つように設定する。
【００２０】
また、このプロテクターリング１２、又は後述の調整ライナー及びリングライナー共、新築の場合にはシリンダ筒２の装着前、既設のシリンダ筒の場合にはシリンダ筒２を錠箱から取り外した状態で行う。
【００２１】
上記シリンダ筒２を錠箱３から取り外すには、扉を開けた状態で錠箱のフロント板（図示せず）を取り外すと、シリンダ筒２の角度位置を固定する前記図示しないねじの頭部が露出するから、これを例えばドライバー等でねじ回して弛め、化粧リング５及びこれと一体のシリンダ筒所定の方向に回して錠箱からねじ外し、次いでこれを外側に引くと、化粧リング５と一体にシリンダ筒２を取り外すことができる。
【００２２】
上記プロテクターリング１２には抜け止めが施されていて、一旦扉に装着されたら外側に引出すことができないようになっている。
【００２３】
図示の実施例では、例えば図４に示すように、プロテクターリング１２の円筒部の複数箇所が外側に切り起こされて弾性変形可能な抜け止め片１２ｂが形成され、図３に示すようにこのプロテクターリング１２が扉外面に装着されたとき、フランジ１２ａ（図４参照）と抜け止め片１２ｂとで扉４の外面を挟むように構成されている。
【００２４】
上記のようにしてプロテクターリング１２を扉外面に装着するだけで、本出願人が先に特願２００２−１７３３９２を以て提案した扉のシリンダ筒挿通穴閉塞装置と同じ機能を発揮し、前記したシリンダ筒挿通穴１１から特殊な形状をした針金を扉内に挿入することによる不正解錠を有効に防止することができる。
【００２５】
一方、図３に示すように、錠箱３から取り外したシリンダ筒２の外周部に、例えば合成樹脂製のライナー筒１３を嵌着する。
【００２６】
このライナー筒１３の外周部には、図３に示すように、薄肉環状のワッシャー様で、外径が化粧リング５の開口端縁とほぼ同径の調整ライナー１５の少なくとも１枚と、図５に示すように、外周部に環堤部１６を形成したリングライナー１７とが嵌着されている。
【００２７】
図示の実施例におけるリングライナー１７は、リング状の薄板をプレス加工によって環堤部１６を形成した後補強用の厚板を例えばスポット溶接によって接合してなる。
【００２８】
上記のように構成されたリングライナー１７は、図３に示すように、環堤部１６を外側にし、化粧リング５との間に上記調整ライナー１５を挟むようにしてライナー筒１３に嵌着される。
【００２９】
なお、上記調整ライナー１５の枚数は、扉厚、すなわちシリンダ筒２の扉外面からの突出量に応じて調整し、シリンダ筒２の開口端をプロテクターリングを通して錠箱３に装着したとき、扉外面に当接するリングライナー及び調整ライナーにより、化粧リンク５の付勢ばねを一杯に押し縮めて、化粧リングの扉厚方向の遊動行程をほぼゼロにするように設定する。
【００３０】
上記のように構成されたこの発明の一実施例による閉塞装置は、装着後は、図３に明らかなように、既にして化粧リング５を持上げることができないので、当然のことながらシリンダ筒挿通穴に針金を挿入しての不正解錠ができない。
【００３１】
また、何等かの方法で化粧リング５を持上げても、プロテクターリング１２がシリンダ筒挿通穴１１と錠箱側面との隙間を閉塞するので、シリンダ筒挿通穴１１から針金を錠箱上部に届かせることができない。
【００３２】
なお、図３から明らかなように、ライナー筒１３の厚さを少なくしてゆきついにはゼロにした場合、換言すればライナー筒１３を省略した場合、調整ライナー１５の内径をシリンダ筒２の外径と同程度に小さくすれば、少し滑りが悪くなる程度で本願における請求項２に記載の発明が成立する。
【００３３】
【発明の効果】
以上の説明から明らかなように、この発明は、プロテクターリングを扉外面側からシリンダ筒挿通穴に嵌合させると共に、このプロテクターリングに抜け止めを施し、一方、シリンダ筒の外周部にライナー筒を嵌着し、このライナー筒の外周部に、薄肉環状のワッシャー様で、外径が化粧リングの開口端縁とほぼ同径の調整ライナーの少なくとも１枚と、外周部に環堤部を形成し、この環堤部内に調整ライナーを収容できるようにしたリングライナーとを嵌着し、シリンダ筒の開口端をプロテクターリングを通して錠箱に装着したとき、扉外面に当接するリングライナー及び調整ライナーにより、化粧リングの扉厚方向の遊動行程をほぼゼロにしたので、先ず化粧リングを持上げることができず、従ってシリンダ筒挿通穴を露呈させることができないので、ここから針金を扉内に通すことによる不正解錠を防止することができる。
【００３４】
また、同様の理由により、シリンダ筒挿通穴と錠箱側面との隙間をプロテクターリングで閉塞するので、シリンダ筒挿通穴から針金を錠箱上部に届かせることができず、ここから針金を扉内に通すことによる不正解錠を二重に防止することができ。
【００３５】
更にまた、リングライナーの環堤部が調整ライナーを覆い隠すので、見栄えが良くなる、等種々の効果を奏する。
【図面の簡単な説明】
【図１】シリンダ筒の取付の一例を示す線図的断面図。
【図２】錠箱の構造の一例を示す一部断面一部側面図。
【図３】この発明による閉塞具を装着したシリンダ筒取付部の線図的断面図。
【図４】プロテクターリングの拡大一部断面図。
【図５】リングライナーの断面図。
【符号の説明】
１　シリンダ錠
２　シリンダ筒
３　錠箱
４　扉
５　化粧リング
６　雄ねじ部
７　ビス溝
８　ビス孔
９　デッドカム
１１　シリンダ筒挿通穴
１２　プロテクターリング
１３　ライナー筒
１５　調整ライナー
１６　環堤部
１７　リングライナー
【図１】
2004124681.tif 000003
【図２】
2004124681.tif 000004
【図３】
2004124681.tif 000005
【図４】
2004124681.tif 000006
【図５】
2004124681.tif 000007